(57)【要約】【課題】機器の電源状態がどのように変更されたか管理することができる管理システム、管理装置、機器、電源状態管理方法及びプログラムを提供する。【解決手段】所定条件が成立したことに基づいて、複数の機器のうち電源状態の制御対象の１以上の機器、及び電源状態の制御内容を決定する制御内容決定部と、制御内容で制御対象の１以上の機器の電源状態を制御する電源状態制御部２５１と、複数の機器それぞれから、当該機器の電源状態が変更する場合に、当該機器を識別する機器識別情報、変更後の電源状態を示す電源状態情報、及び変更日時を含む電源状態変更情報を受信する電源状態変更情報受信部２５３と、電源状態変更情報を状態変更情報記憶部２４１上で管理する管理部２５５と、を備える。【選択図】図８
2015172853.tif 000002
【特許請求の範囲】
【請求項１】
所定条件が成立したことに基づいて、複数の機器のうち電源状態の制御対象の１以上の機器、及び電源状態の制御内容を決定する制御内容決定部と、
前記制御内容で前記制御対象の１以上の機器の電源状態を制御する電源状態制御部と、
前記複数の機器それぞれから、当該機器の電源状態が変更する場合に、当該機器を識別する機器識別情報、変更後の電源状態を示す電源状態情報、及び変更日時を含む電源状態変更情報を受信する電源状態変更情報受信部と、
前記電源状態変更情報を電源状態変更情報記憶部上で管理する管理部と、
を備える管理システム。
【請求項２】
前記複数の機器それぞれは、ユーザ操作、電源状態変更条件の成立、及び前記管理システムによる電源状態の制御の少なくともいずれかに基づいて、電源状態を変更する請求項１に記載の管理システム。
【請求項３】
前記電源状態は、電源オン状態、省電力状態、及び電源オフ状態を少なくとも含む請求項１又は２に記載の管理システム。
【請求項４】
前記複数の機器のうちレポート対象の１以上の機器を決定するレポート対象機器決定部を更に備え、
前記管理部は、前記レポート対象の１以上の機器の機器識別情報に基づいて、前記電源状態変更情報記憶部から前記レポート対象の１以上の機器の電源状態変更情報を取得し、
前記レポート対象の１以上の機器の電源状態変更情報を用いて、前記レポート対象の１以上の機器の電源状態に関するレポートを生成する生成部と、
前記レポートを出力する出力部と、
を更に備える請求項１〜３のいずれか１つに記載の管理システム。
【請求項５】
前記レポートは、消費電力量、利用率、及び状態遷移の少なくともいずれかに関するレポートである請求項４に記載の管理システム。
【請求項６】
レポート対象の領域を識別するレポート領域識別情報又はレポート対象の部署を識別するレポート部署識別情報を含むレポート生成要求を受信する要求受信部と、
前記複数の機器それぞれの機器識別情報と、当該機器識別情報が示す機器が配置されている領域を識別する領域識別情報と、当該機器識別情報が示す機器が属する部署を識別する部署識別情報と、を対応付けた機器情報を記憶する機器情報記憶部と、を更に備え、
前記レポート対象機器決定部は、前記レポート領域識別情報又は前記レポート部署識別情報を用いて、前記機器情報から前記レポート対象の１以上の機器の機器識別情報を抽出し、前記レポート対象の１以上の機器を決定する請求項４又は５に記載の管理システム。
【請求項７】
前記レポート対象機器決定部は、前記機器情報から、前記レポート領域識別情報又は前記レポート部署識別情報と一致する前記領域識別情報又は前記部署識別情報に対応付けられた１以上の機器識別情報を、前記レポート対象の１以上の機器の機器識別情報として抽出する請求項６に記載の管理システム。
【請求項８】
ユーザが所持する対象物の検知に基づいて、ユーザの有無を検知する複数の検知部と、
前記複数の検知部それぞれから、１以上のユーザが検知された場合、当該１以上のユーザそれぞれのユーザ識別情報及び当該検知部を識別する検知部識別情報を含み、ユーザが検知されなかった場合、前記検知部識別情報を含む、検知情報を受信する検知情報受信部と、
検知部識別情報毎に当該検知部識別情報が示す検知部が配置されている領域の領域識別情報を対応付けた領域特定情報を記憶する領域特定情報記憶部と、
前記検知情報に含まれる前記検知部識別情報を用いて、前記領域特定情報から、当該検知部識別情報が示す前記検知部が配置されている領域の領域識別情報を特定する領域特定部と、
前記領域識別情報毎に当該領域識別情報が示す領域に存在するユーザ数を対応付けた領域情報を記憶する領域情報記憶部と、
前記特定された領域識別情報と一致する前記領域情報の領域識別情報に対応付けられたユーザ数を、前記検知情報に含まれる前記ユーザ識別情報の数に更新する更新部と、
ユーザ数に基づく電源状態の制御内容と領域識別情報とを対応付けた電源状態制御情報を記憶する電源状態制御情報記憶部と、を更に備え、
前記制御内容決定部は、前記領域情報の前記更新されたユーザ数が、当該更新されたユーザ数に対応付けられた領域識別情報と一致する前記電源状態制御情報の領域識別情報に対応付けられたユーザ数に基づく電源状態の制御内容のユーザ数を満たす場合、前記制御内容を、当該ユーザ数に基づく電源状態の制御内容に決定するとともに、前記機器情報から、前記更新されたユーザ数に対応付けられた前記領域識別情報に対応付けられた１以上の機器識別情報を抽出して、前記制御対象の１以上の機器を決定する請求項６又は７に記載の管理システム。
【請求項９】
管理装置と機器制御装置とを備える管理システムであって、
前記管理装置は、
所定条件が成立したことに基づいて、複数の機器のうち電源状態の制御対象の１以上の機器、及び電源状態の制御内容を決定する制御内容決定部と、
前記制御内容で前記制御対象の１以上の機器の電源状態を制御する電源状態制御部と、を備え、
前記機器制御装置は、
前記複数の機器それぞれから、当該機器の電源状態が変更する場合に、当該機器を識別する機器識別情報、変更後の電源状態を示す電源状態情報、及び変更日時を含む電源状態変更情報を受信する電源状態変更情報受信部と、
前記電源状態変更情報を電源状態変更情報記憶部上で管理する管理部と、
を備える管理システム。
【請求項１０】
所定条件が成立したことに基づいて、複数の機器のうち電源状態の制御対象の１以上の機器、及び電源状態の制御内容を決定する制御内容決定部と、
前記制御内容で前記制御対象の１以上の機器の電源状態を制御する電源状態制御部と、
前記複数の機器それぞれから、当該機器の電源状態が変更する場合に、当該機器を識別する機器識別情報、変更後の電源状態を示す電源状態情報、及び変更日時を含む電源状態変更情報を受信する電源状態変更情報受信部と、
前記電源状態変更情報を電源状態変更情報記憶部上で管理する管理部と、
を備える管理装置。
【請求項１１】
管理装置と機器制御装置とを備える管理システムと接続される機器であって、
ユーザ操作、電源状態変更条件の成立、及び管理システムによる電源状態の制御の少なくともいずれかに基づいて、電源状態を変更する電源状態変更部と、
前記機器を識別する機器識別情報、変更後の電源状態を示す電源状態情報、及び変更日時を含む電源状態変更情報を前記管理システムへ送信する電源状態変更情報送信部と、
を備える機器。
【請求項１２】
所定条件が成立したことに基づいて、複数の機器のうち電源状態の制御対象の１以上の機器、及び電源状態の制御内容を決定する制御内容決定部と、
前記制御内容で前記制御対象の１以上の機器の電源状態を制御する電源状態制御部と、
前記複数の機器それぞれから、当該機器の電源状態が変更する場合に、当該機器を識別する機器識別情報、変更後の電源状態を示す電源状態情報、及び変更日時を含む電源状態変更情報を受信する電源状態変更情報受信部と、
前記電源状態変更情報を電源状態変更情報記憶部上で管理する管理部と、
を備える電源状態管理方法。
【請求項１３】
所定条件が成立したことに基づいて、複数の機器のうち電源状態の制御対象の１以上の機器、及び電源状態の制御内容を決定する制御内容決定部と、
前記制御内容で前記制御対象の１以上の機器の電源状態を制御する電源状態制御部と、
前記複数の機器それぞれから、当該機器の電源状態が変更する場合に、当該機器を識別する機器識別情報、変更後の電源状態を示す電源状態情報、及び変更日時を含む電源状態変更情報を受信する電源状態変更情報受信部と、
前記電源状態変更情報を電源状態変更情報記憶部上で管理する管理部と、
をコンピュータに実行させるためのプログラム。
【発明の詳細な説明】
【技術分野】
【０００１】
本発明は、管理システム、管理装置、機器、電源状態管理方法及びプログラムに関する。
【背景技術】
【０００２】
従来から、企業や自治体などのＴＣＯ（Total  Cost  of  Ownership）を削減するため、オフィスなどにおいて、人間の有無に基づいて、機器への給電制御を行う技術が知られている（例えば、特許文献１参照）。
【発明の概要】
【発明が解決しようとする課題】
【０００３】
しかしながら、上述したような従来技術では、給電制御に伴い機器の電源状態がどのように変更されたかを管理していない。
【０００４】
本発明は、上記事情に鑑みてなされたものであり、機器の電源状態がどのように変更されたか管理することができる管理システム、管理装置、機器、電源状態管理方法及びプログラムを提供することを目的とする。
【課題を解決するための手段】
【０００５】
上述した課題を解決し、目的を達成するために、本発明の一態様にかかる管理システムは、所定条件が成立したことに基づいて、複数の機器のうち電源状態の制御対象の１以上の機器、及び電源状態の制御内容を決定する制御内容決定部と、前記制御内容で前記制御対象の１以上の機器の電源状態を制御する電源状態制御部と、前記複数の機器それぞれから、当該機器の電源状態が変更する場合に、当該機器を識別する機器識別情報、変更後の電源状態を示す電源状態情報、及び変更日時を含む電源状態変更情報を受信する電源状態変更情報受信部と、前記電源状態変更情報を電源状態変更情報記憶部上で管理する管理部と、を備える。
【発明の効果】
【０００６】
本発明によれば、機器の電源状態がどのように変更されたか管理することができるという効果を奏する。
【図面の簡単な説明】
【０００７】
【図１】図１は、本実施形態の管理システムの構成の一例を示すブロック図である。
【図２】図２は、本実施形態の管理装置の構成の一例を示すブロック図である。
【図３】図３は、本実施形態の領域特定情報の一例を示す図である。
【図４】図４は、本実施形態の領域情報の一例を示す図である。
【図５】図５は、本実施形態の領域の階層構造の一例を示す図である。
【図６】図６は、本実施形態の機器情報の一例を示す図である。
【図７】図７は、本実施形態の電源状態制御情報の一例を示す図である。
【図８】図８は、本実施形態の機器制御装置の構成の一例を示すブロック図である。
【図９】図９は、本実施形態の電源状態変更情報の一例を示す図である。
【図１０】図１０は、本実施形態の機器の構成の一例を示すブロック図である。
【図１１】図１１は、本実施形態のレポート生成装置の構成の一例を示すブロック図である。
【図１２】図１２は、本実施形態の部署情報の一例を示す図である。
【図１３】図１３は、本実施形態の部署の階層構造の一例を示す図である。
【図１４】図１４は、本実施形態の管理システムで実行される電源オフ処理の一例を示すシーケンス図である。
【図１５】図１５は、本実施形態の管理システムで実行される電源オン処理の一例を示すシーケンス図である。
【図１６】図１６は、本実施形態の管理システムで実行されるユーザ操作による電源オン処理の一例を示すシーケンス図である。
【図１７】図１７は、本実施形態の管理システムで実行されるレポート生成処理の一例を示すシーケンス図である。
【図１８】図１８は、変形例の管理システムで実行される警告処理の一例を示すシーケンス図である。
【図１９】図１９は、本実施形態の各装置のハードウェア構成の一例を示す図である。
【発明を実施するための形態】
【０００８】
以下、添付図面を参照しながら、本発明にかかる管理システム、管理装置、機器、電源状態管理方法及びプログラムの実施形態を詳細に説明する。
【０００９】
図１は、本実施形態の管理システム１の構成の一例を示すブロック図である。図１に示すように、管理システム１は、機器１０−１〜１０−ｎ（ｎは２以上の自然数）と、検知装置２０−１〜２０−ｍ（複数の検知部の一例、ｍは２以上の自然数）と、管理装置３０と、機器制御装置４０と、レポート生成装置５０とを、備える。
【００１０】
機器１０−１〜１０−ｎ、検知装置２０−１〜２０−ｍ、管理装置３０、機器制御装置４０、及びレポート生成装置５０は、ネットワーク２を介して接続されている。ネットワーク２は、例えば、インターネットやＬＡＮ（Local  Area  Network）などにより実現できる。
【００１１】
機器１０−１〜１０−ｎは、ネットワーク２に接続可能な機器であればよく、例えば、印刷装置、複写機、複合機（ＭＦＰ：Multifunction  Peripheral）、スキャナ装置、及びファクシミリ装置等の画像形成装置、プロジェクタ、カメラ、エアコン、冷蔵庫、蛍光灯、自販機、及びハンドヘルド型端末等の各種電子機器、並びにＰＣ（Personal  Computer）及びタブレット端末等の情報処理装置などが挙げられる。複合機は、複写機能、印刷機能、スキャナ機能、及びファクシミリ機能のうち少なくとも２つの機能を有するものである。なお、以下の説明では、機器１０−１〜１０−ｎを各々区別する必要がない場合は、単に機器１０と称する場合がある。また、機器１０の詳細については、後述する。
【００１２】
検知装置２０−１〜２０−ｍは、それぞれ、オフィスを最小単位に区分けした各ブロックに配置されており、配置されたブロック内で対象物を定期的に検知する。本実施形態では、検知装置２０−１〜２０−ｍは、ＲＦＩＤ（Radio  Frequency  IDentification）リーダであり、対象物は、ＲＦＩＤタグであり、社員であるユーザが所持する社員証に内蔵されているものとするが、これに限定されるものではない。
【００１３】
このため検知装置２０−１〜２０−ｍは、それぞれ、自身が配置されたブロック内で対象物を定期的に検知することで、自身が配置されたブロック内にいるユーザの有無（人数）を定期的に検知できる。なお、以下の説明では、検知装置２０−１〜２０−ｍを各々区別する必要がない場合は、単に検知装置２０と称する場合がある。
【００１４】
つまり、検知装置２０は、ユーザが所持する対象物の検知に基づいて、ユーザの有無を検知する。そして検知装置２０は、１以上のユーザが検知した場合、当該１以上のユーザそれぞれのユーザ識別情報及び当該検知装置２０を識別する検知部識別情報を含み、ユーザを検知しなかった場合、当該検知装置２０の検知部識別情報を含む、検知情報を管理装置３０に通知する。
【００１５】
ユーザ識別情報は、ユーザを識別する識別子であり、例えば、ユーザＩＤ（社員ＩＤ）が挙げられる。本実施形態では、ユーザ識別情報は、ユーザが所持する対象物に記憶されており、当該対象物を検知した検知装置２０が当該対象物から読み出すことで取得する。検知部識別情報は、検知装置２０を識別する識別子であり、例えば、リーダＩＤが挙げられる。本実施形態では、検知部識別情報は、検知装置２０が記憶している。
【００１６】
図２は、本実施形態の管理装置３０の構成の一例を示すブロック図である。図２に示すように、管理装置３０は、通信部１１０と、操作部１２０と、表示部１３０と、記憶部１４０と、制御部１５０とを、備える。
【００１７】
通信部１１０は、ネットワーク２を介して、検知装置２０−１〜２０−ｍ、機器制御装置４０、及びレポート生成装置５０などの外部装置と通信するものであり、ＮＩＣ（Network  Interface  Card）などにより実現できる。
【００１８】
操作部１２０は、各種操作の入力を行うものであり、キーボード、マウス、タッチパッド、及びタッチパネルなどの入力装置により実現できる。
【００１９】
表示部１３０は、各種画面を表示するものであり、液晶ディスプレイ及びタッチパネル式ディスプレイなどの表示装置により実現できる。
【００２０】
記憶部１４０は、管理装置３０で実行される各種プログラム、及び管理装置３０で行われる各種処理に使用されるデータを記憶する。記憶部１４０は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、及び電気的に記憶可能な記憶装置の少なくともいずれかにより実現できる。
【００２１】
記憶部１４０は、領域特定情報記憶部１４１と、領域情報記憶部１４２と、機器情報記憶部１４３と、電源状態制御情報記憶部１４４と、部署情報記憶部１４５とを、含む。なお、領域特定情報記憶部１４１、領域情報記憶部１４２、機器情報記憶部１４３、電源状態制御情報記憶部１４４、及び部署情報記憶部１４５の詳細については、後述する。
【００２２】
制御部１５０は、管理装置３０の各部を制御するものであり、例えば、ＣＰＵ（Central  Processing  Unit）などの制御装置により実現できる。制御部１５０は、検知情報受信部１５１と、領域特定部１５２と、更新部１５３と、制御内容決定部１５４と、レポート対象機器決定部１５５とを、含む。
【００２３】
検知情報受信部１５１は、検知装置２０−１〜２０−ｍそれぞれから、検知情報を受信する。検知情報は、前述した通り、１以上のユーザが検知された場合、当該１以上のユーザそれぞれのユーザ識別情報及び当該検知装置２０を識別する検知部識別情報を含み、ユーザが検知されなかった場合、検知部識別情報を含む。
【００２４】
ここで、領域特定情報記憶部１４１について説明する。領域特定情報記憶部１４１は、検知部識別情報毎に当該検知部識別情報が示す検知装置２０が配置されている領域の領域識別情報を対応付けた領域特定情報を記憶する。図３に、本実施形態の領域特定情報の一例を示す。領域識別情報は、領域を識別する識別子であり、例えば、領域ＩＤが挙げられる。なお、領域特定情報の領域識別情報は、検知装置２０が配置されている領域を示す領域識別情報である。検知装置２０が配置されている領域は、前述の通り、オフィスの最小単位であるブロックである。
【００２５】
領域特定部１５２は、検知情報受信部１５１により受信された検知情報に含まれる検知部識別情報を用いて、領域特定情報記憶部１４１に記憶された領域特定情報から、当該検知部識別情報が示す検知装置２０が配置されている領域の領域識別情報を特定する。
【００２６】
例えば、検知情報受信部１５１により受信された検知情報に含まれる検知装置識別情報が「ＲＦＩＤ００００１」であり、領域特定情報が図３に示す情報であるとする。この場合、領域特定部１５２は、「ＲＦＩＤ００００１」に対応付けられている「Ｂｌｏｃｋ０１０１０１０１」を、検知装置２０が配置されている領域の領域識別情報に特定する。
【００２７】
ここで、領域情報記憶部１４２及び機器情報記憶部１４３について説明する。
【００２８】
領域情報記憶部１４２は、領域識別情報毎に当該領域識別情報が示す領域に存在するユーザ数を対応付けた領域情報を記憶する。図４は、本実施形態の領域情報の一例を示す図である。図４に示す例では、領域情報は、領域識別情報と、領域タイプと、ユーザリストと、親領域識別情報と、ユーザ数とを、対応付けた情報となっているが、これに限定されるものではない。
【００２９】
領域識別情報は、前述のとおり、領域を識別する識別子であり、例えば、領域ＩＤである。但し、領域情報の領域識別情報は、検知装置２０が配置されている領域を示す領域識別情報だけでなく、他の領域を示す領域識別情報も含む。
【００３０】
ここで、図５を参照しながら、本実施形態の領域について説明する。図５は、本実施形態の領域の階層構造の一例を示す図である。本実施形態の領域は、階層構造を有しており、図５に示すように、第１階層〜第４階層に階層化されている。なお、第１階層は、ビルなど建物を単位とした領域を示し、第２階層は、フロアなど階を単位とした領域を示し、第３階層は、部屋などを単位とした領域を示し、第４階層は、部屋内のブロックを単位とした領域を示す。
【００３１】
このため、領域特定情報の領域識別情報は、第４階層の領域識別情報であったが、領域情報の領域識別情報は、第１階層〜第４階層の領域識別情報を含む。
【００３２】
なお、上位階層の領域は、下位階層の領域も含む。つまり、第３階層の領域は、自身に属する第４階層の領域を含み、第２階層の領域は、自身に属する第３階層以下の領域を含み、第１階層の領域は、自身に属する第２階層以下の領域を含む。
【００３３】
図４に戻り、領域タイプは、領域識別情報が示す領域のタイプを示すものであり、例えば、ビル、フロア、エリア、ブロックなどが挙げられる。ユーザリストは、領域識別情報が示す領域に属するユーザのユーザ識別情報を一覧にしたものである。なお、グループに属するユーザのユーザ識別情報を一覧にしたグループリストや部署に属するユーザのユーザ識別情報を一覧にした部署リストをユーザリストに用いることもできる。親領域識別情報は、領域識別情報が示す領域の親領域を示す。従って、領域識別情報が第４階層の領域を示せば、親領域識別情報は第３階層の領域を示し、領域識別情報が第３階層の領域を示せば、親領域識別情報は第２階層の領域を示し、領域識別情報が第２階層の領域を示せば、親領域識別情報は第１階層の領域を示し、領域識別情報が第１階層の領域を示せば、親領域識別情報はＲｏｏｔを示す。ユーザ数は、ユーザリストに示すユーザのうち何人のユーザが、領域識別情報が示す領域にいるかを示す情報であり、更新部１５３により更新される。
【００３４】
機器情報記憶部１４３は、機器１０−１〜１０−ｎそれぞれの機器識別情報と、当該機器識別情報が示す機器が配置されている領域を識別する領域識別情報と、当該機器識別情報が示す機器が属する部署を識別する部署識別情報と、を対応付けた機器情報を記憶する。
【００３５】
図６は、本実施形態の機器情報の一例を示す図である。図６に示す例では、機器情報は、機器識別情報と、機器タイプと、部署識別情報と、領域識別情報と、ユーザリストと、ユーザ数とを、対応付けた情報となっているが、これに限定されるものではない。
【００３６】
機器識別情報は、機器１０を識別する識別子であり、例えば、シリアルナンバーが挙げられる。機器タイプは、機器識別情報が示す機器のタイプを示すものであり、例えば、ＭＦＰやＰＣなどが挙げられる。部署識別情報は、機器識別情報が示す機器１０が属する部署を識別する識別子であり、例えば、部署ＩＤが挙げられる。なお、詳細は後述するが、本実施形態の部署も、階層構造を有している。領域識別情報は、機器識別情報が示す機器１０が配置されている領域を識別する識別子であり、例えば、領域ＩＤである。機器情報の領域識別情報は、第１階層〜第４階層の領域識別情報を含む。ユーザリストは、領域識別情報が示す領域に属するユーザのユーザ識別情報を一覧にしたものである。なお、グループに属するユーザのユーザ識別情報を一覧にしたグループリストや部署に属するユーザのユーザ識別情報を一覧にした部署リストをユーザリストに用いることもできる。ユーザ数は、ユーザリストに示すユーザのうち何人のユーザが、領域識別情報が示す領域にいるかを示す情報であり、更新部１５３により更新される。
【００３７】
更新部１５３は、領域特定部１５２により特定された領域識別情報と一致する領域情報の領域識別情報に対応付けられたユーザ数を、検知情報受信部１５１により受信された検知情報に含まれるユーザ識別情報の数に更新する。図４に示す領域情報の場合、更新部１５３は、領域特定部１５２により特定された領域識別情報と一致する領域識別情報に対応付けられたユーザリストの１以上のユーザ識別情報と、検知情報受信部１５１により受信された検知情報に含まれる０以上のユーザ識別情報と、の一致数をカウントし、当該領域識別情報に対応付けられたユーザ数をカウント値に更新する。
【００３８】
更に更新部１５３は、領域特定部１５２により特定された領域識別情報と一致する領域情報の領域識別情報が示す領域を含む親領域についても同様の処理を行う。
【００３９】
また更新部１５３は、領域特定部１５２により特定された領域識別情報と一致する機器情報の領域識別情報に対応付けられたユーザ数を、検知情報受信部１５１により受信された検知情報に含まれるユーザ識別情報の数に更新する。図６に示す領域情報の場合、更新部１５３は、領域特定部１５２により特定された領域識別情報と一致する領域識別情報に対応付けられたユーザリストの１以上のユーザ識別情報と、検知情報受信部１５１により受信された検知情報に含まれる０以上のユーザ識別情報と、の一致数をカウントし、当該領域識別情報に対応付けられたユーザ数をカウント値に更新する。
【００４０】
更に更新部１５３は、領域特定部１５２により特定された領域識別情報と一致する領域情報の領域識別情報が示す領域を含む親領域についても同様の処理を行う。
【００４１】
例えば、検知情報受信部１５１により受信された検知情報にユーザ識別情報が含まれておらず、領域特定部１５２により特定された領域識別情報が「Ｂｌｏｃｋ０１０１０１０１」であり、領域情報が図４に示す情報であり、機器情報が図６に示す情報であるとする。この場合、更新部１５３は、図４に示す領域情報の領域識別情報「Ｂｌｏｃｋ０１０１０１０１」に対応付けられたユーザ数を１から０に更新するとともに、図６に示す機器情報の領域識別情報「Ｂｌｏｃｋ０１０１０１０１」に対応付けられたユーザ数を１から０に更新する。また、更新部１５３は、図４に示す領域情報から、領域識別情報「Ｂｌｏｃｋ０１０１０１０１」が示す領域を含む親領域の領域識別情報が「Ａｒｅａ０１０１０１」、「Ｆｌｏｏｒ０１０１」、及び「Ｂｕｉｌｄ０１」であることを特定する。そして更新部１５３は、図４に示す領域情報の領域識別情報「Ａｒｅａ０１０１０１」、「Ｆｌｏｏｒ０１０１」、及び「Ｂｕｉｌｄ０１」それぞれに対応付けられたユーザ数から１を減算して更新するとともに、図６に示す機器情報の領域識別情報「Ａｒｅａ０１０１０１」、「Ｆｌｏｏｒ０１０１」、及び「Ｂｕｉｌｄ０１」それぞれに対応付けられたユーザ数から１を減算して更新する。
【００４２】
ここで、電源状態制御情報記憶部１４４について説明する。電源状態制御情報記憶部１４４は、ユーザ数に基づく電源状態の制御内容と領域識別情報とを対応付けた電源状態制御情報を記憶する。
【００４３】
図７は、本実施形態の電源状態制御情報の一例を示す図である。図７に示す例では、電源状態制御情報は、制御内容識別情報と、領域識別情報と、対象機器と、制御内容と、有効期間とを、対応付けた情報となっているが、これに限定されるものではない。
【００４４】
制御内容識別情報は、制御内容を識別する識別子であり、例えば、制御ＩＤが挙げられる。領域識別情報は、制御内容の対象となる領域を識別する識別子であり、例えば、領域ＩＤである。電源状態制御情報の領域識別情報は、第１階層〜第４階層の領域識別情報を含む。対象機器は、制御内容の対象となる機器を特定する情報である。有効期間は、制御内容が有効となる期間である。
【００４５】
制御内容決定部１５４は、所定条件が成立したことに基づいて、機器１０−１〜１０−ｎのうち電源状態の制御対象の１以上の機器１０、及び電源状態の制御内容を決定する。
【００４６】
具体的には、制御内容決定部１５４は、領域情報記憶部１４２に記憶されている領域情報の更新されたユーザ数が、当該更新されたユーザ数に対応付けられた領域識別情報と一致する電源状態制御情報の領域識別情報に対応付けられた制御内容のユーザ数を満たすか否かを判定する。そして制御内容決定部１５４は、更新されたユーザ数が制御内容のユーザ数を満たす場合、当該制御内容を、当該ユーザ数に基づく電源状態の制御内容に決定する。更に制御内容決定部１５４は、機器情報記憶部１４３に記憶された機器情報から、更新されたユーザ数に対応付けられた領域識別情報に対応付けられた１以上の機器識別情報を抽出して、制御対象の１以上の機器１０を決定する。そして制御内容決定部１５４は、決定した電源状態の制御内容及び制御対象の１以上の機器１０それぞれの機器識別情報を、機器制御装置４０に通知する。
【００４７】
例えば、更新部１５３により図４に示す領域情報の領域識別情報「Ｂｌｏｃｋ０１０１０１０１」に対応付けられたユーザ数が１から０に更新され、電源状態制御情報が図７に示す情報であるとする。この場合、図４に示す領域情報の領域識別情報「Ｂｌｏｃｋ０１０１０１０１」に対応付けられたユーザ数が０であるため、図７に示す電源状態制御情報の領域識別情報「Ｂｌｏｃｋ０１０１０１０１」に対応付けられた制御内容（制御内容識別情報「Ｔ０１０２０３」の制御内容）のユーザ数を満たす。なお、現在の時刻は、制御内容識別情報「Ｔ０１０２０３」の有効期間内であるとする。このため制御内容決定部１５４は、当該制御内容（制御内容識別情報「Ｔ０１０２０３」の制御内容）を電源状態の制御内容に決定する。更に制御内容決定部１５４は、制御内容識別情報「Ｔ０１０２０３」の対象機器は、エリアにある端末であるため、図６に示す機器情報の領域識別情報「Ｂｌｏｃｋ０１０１０１０１」に対応付けられた機器識別情報「ＰＣ００００１」が示す機器１０を、制御対象の１以上の機器に決定する。そして制御内容決定部１５４は、制御内容識別情報「Ｔ０１０２０３」の制御内容及び機器識別情報「ＰＣ００００１」を、機器制御装置４０に通知する。
【００４８】
なお、レポート対象機器決定部１５５については、後述する。
【００４９】
図８は、本実施形態の機器制御装置４０の構成の一例を示すブロック図である。図８に示すように、機器制御装置４０は、通信部２１０と、操作部２２０と、表示部２３０と、記憶部２４０と、制御部２５０とを、備える。
【００５０】
通信部２１０は、ネットワーク２を介して、機器１０−１〜１０−ｎ、管理装置３０、及びレポート生成装置５０などの外部装置と通信するものであり、ＮＩＣなどにより実現できる。
【００５１】
操作部２２０は、各種操作の入力を行うものであり、キーボード、マウス、タッチパッド、及びタッチパネルなどの入力装置により実現できる。
【００５２】
表示部２３０は、各種画面を表示するものであり、液晶ディスプレイ及びタッチパネル式ディスプレイなどの表示装置により実現できる。
【００５３】
記憶部２４０は、機器制御装置４０で実行される各種プログラム、及び機器制御装置４０で行われる各種処理に使用されるデータを記憶する。記憶部２４０は、例えば、ＨＤＤ、ＳＳＤ、メモリカード、光ディスク、ＲＯＭ、及びＲＡＭなどの磁気的、光学的、及び電気的に記憶可能な記憶装置の少なくともいずれかにより実現できる。
【００５４】
記憶部２４０は、電源状態変更情報記憶部２４１を含む。なお、電源状態変更情報記憶部２４１の詳細については、後述する。
【００５５】
制御部２５０は、機器制御装置４０の各部を制御するものであり、例えば、ＣＰＵなどの制御装置により実現できる。制御部２５０は、電源状態制御部２５１と、電源状態変更情報受信部２５３と、管理部２５５とを、含む。
【００５６】
電源状態制御部２５１は、管理装置３０により決定された制御内容で管理装置３０により決定された制御対象の１以上の機器１０の電源状態を制御する。具体的には、電源状態制御部２５１は、管理装置３０から通知された電源状態の制御内容及び制御対象の１以上の機器１０それぞれの機器識別情報を用いて、当該制御対象の機器１０毎に当該制御内容を実行させるためのコマンドを生成し、当該コマンドを用いて、当該制御対象の機器１０の電源状態を制御する。
【００５７】
機器１０の電源状態の制御内容としては、例えば、電源オン状態への移行、省電力状態への移行、及び電源オフ状態への移行などが挙げられる。なお、電源状態の制御内容を実行させるためのコマンドとしては、例えば、ＷＯＬ（Wake  On  LAN）の電源オン状態への移行コマンド、省電力状態への移行コマンド、及び電源オフ状態への移行コマンドなどが挙げられる。この場合、制御対象の機器１０のＩＰアドレスが必要であるため、例えば、記憶部２４０に機器１０の機器識別情報とＩＰアドレスとの対応関係を定めた情報を記憶しておき、電源状態制御部２５１は、この情報を用いて、通知された機器識別情報から当該機器識別情報が示す機器１０のＩＰアドレスを特定すればよい。
【００５８】
例えば、管理装置３０から、電源状態の制御内容として制御内容識別情報「Ｔ０１０２０３」の制御内容、及び制御対象の機器１０の機器識別情報として「ＰＣ００００１」が通知されたとする。この場合、電源状態制御部２５１は、機器識別情報「ＰＣ００００１」が示す機器１０のＩＰアドレスを取得し、当該ＩＰアドレスを用いた電源オフ状態への移行コマンドを生成し、当該機器１０に出力する。これにより、当該機器１０は、電源オフ状態へ移行する。
【００５９】
電源状態変更情報受信部２５３は、機器１０−１〜１０−ｎそれぞれから、当該機器１０の電源状態が変更する場合に、当該機器１０を識別する機器識別情報、変更後の電源状態を示す電源状態情報、及び変更日時を含む電源状態変更情報を受信する。
【００６０】
なお、機器１０は、電源状態制御部２５１による電源状態の制御だけでなく、自身による電源状態の制御やユーザ操作でも、電源状態を変更する。このため、電源状態変更情報受信部２５３は、電源状態制御部２５１により機器１０の電源状態の制御が行われた場合だけでなく、機器１０自身で電源状態の制御を行った場合や、ユーザ操作により機器１０が電源状態の制御を行った場合にも、機器１０から電源状態変更情報を受信する。
【００６１】
管理部２５５は、電源状態変更情報受信部２５３により受信された電源状態変更情報を電源状態変更情報記憶部２４１上で管理する。具体的には、管理部２５５は、電源状態変更情報受信部２５３により受信された電源状態変更情報を電源状態変更情報記憶部２４１に記憶する。
【００６２】
図９は、本実施形態の電源状態変更情報の一例を示す図である。図９に示す例では、電源状態変更情報は、変更結果識別情報と、機器識別情報と、電源状態情報と、発生日時（変更日時）と、実行装置情報とを、対応付けた情報となっているが、これに限定されるものではない。なお、この場合、電源状態変更情報受信部２５３により受信された電源状態変更情報に実行装置情報を含め、管理部２５５が、当該電源状態変更情報に変更結果識別情報を付与すればよい。
【００６３】
変更結果識別情報は、電源状態変更結果を識別する識別子であり、例えば、ＩＤが挙げられる。機器識別情報は、電源状態を変更した機器１０を識別する識別子であり、例えば、シリアルナンバーである。電源状態情報は、変更した電源状態を示す情報であり、例えば、電源オン状態、省電力状態、及び電源オフ状態などを表す。発生日時は、電源状態情報が示す電源状態が発生した（に変更した）日時を示す。実行装置識報は、電源状態の制御が機器制御装置４０により行われたか機器１０自身により行われたかを示す。
【００６４】
図１０は、本実施形態の機器１０の構成の一例を示すブロック図である。図１０に示すように、機器１０は、通信部１１と、操作部１２と、表示部１３と、記憶部１４と、制御部１５とを、備える。なお、図１０に示す例では、機器１０共通の構成を示しており、機器１０の種別により異なる構成については、図示を省略している。
【００６５】
通信部１１は、ネットワーク２を介して、機器制御装置４０などの外部装置と通信するものであり、ＮＩＣなどにより実現できる。
【００６６】
操作部１２は、各種操作の入力を行うものであり、キースイッチ及びタッチパネルなどの入力装置により実現できる。
【００６７】
表示部１３は、各種画面を表示するものであり、液晶ディスプレイ及びタッチパネル式ディスプレイなどの表示装置により実現できる。
【００６８】
記憶部１４は、機器１０で実行される各種プログラム、及び機器１０で行われる各種処理に使用されるデータを記憶する。記憶部１４は、例えば、ＨＤＤ、ＳＳＤ、メモリカード、光ディスク、ＲＯＭ、及びＲＡＭなどの磁気的、光学的、及び電気的に記憶可能な記憶装置の少なくともいずれかにより実現できる。
【００６９】
制御部１５は、機器１０の各部を制御するものであり、例えば、ＣＰＵなどの制御装置により実現できる。制御部１５は、操作部１２からのユーザ操作、電源状態変更条件の成立、及び機器制御装置４０による電源状態の制御の少なくともいずれかに基づいて、電源状態を変更する。そして制御部１５は、電源状態が変更すると、電源状態変更情報を機器制御装置４０に送信する。
【００７０】
機器１０の電源状態の制御内容としては、前述した通り、例えば、電源オン状態への移行、省電力状態への移行、及び電源オフ状態への移行などが挙げられる。電源状態変更条件の成立とは、例えば、所定時間以上、操作が行わなければ、省電力状態へ移行するなどが挙げられる。
【００７１】
図１１は、本実施形態のレポート生成装置５０の構成の一例を示すブロック図である。図１１に示すように、レポート生成装置５０は、通信部３１０と、操作部３２０と、表示部３３０と、記憶部３４０と、制御部３５０（電源状態変更部及び電源状態変更情報送信部の一例）とを、備える。
【００７２】
通信部３１０は、ネットワーク２を介して、管理装置３０及び機器制御装置４０などの外部装置と通信するものであり、ＮＩＣなどにより実現できる。
【００７３】
操作部３２０は、各種操作の入力を行うものであり、キーボード、マウス、タッチパッド、及びタッチパネルなどの入力装置により実現できる。
【００７４】
表示部３３０は、各種画面を表示するものであり、液晶ディスプレイ及びタッチパネル式ディスプレイなどの表示装置により実現できる。
【００７５】
記憶部３４０は、レポート生成装置５０で実行される各種プログラム、及びレポート生成装置５０で行われる各種処理に使用されるデータを記憶する。記憶部３４０は、例えば、ＨＤＤ、ＳＳＤ、メモリカード、光ディスク、ＲＯＭ、及びＲＡＭなどの磁気的、光学的、及び電気的に記憶可能な記憶装置の少なくともいずれかにより実現できる。
【００７６】
制御部３５０は、レポート生成装置５０の各部を制御するものであり、例えば、ＣＰＵなどの制御装置により実現できる。制御部３５０は、要求受信部３５１と、生成部３５３と、出力部３５５とを、含む。
【００７７】
要求受信部３５１は、レポート対象の領域を識別するレポート領域識別情報又はレポート対象の部署を識別するレポート部署識別情報を含むレポート生成要求を受信する。例えば、要求受信部３５１は、管理者が使用するＰＣから、レポート生成要求を受信する。管理者が使用するＰＣは、機器１０−１〜１０−ｎのいずれかであってもよいし、機器１０以外の図示せぬ装置であってもよい。なお、レポート生成要求は、レポート対象の期間を示すレポート対象期間情報を含んでいてもよい。
【００７８】
そして要求受信部３５１は、レポート生成要求に含まれるレポート領域識別情報又はレポート部署識別情報を管理装置３０へ通知し、レポート対象の１以上の機器１０の決定を依頼する。
【００７９】
ここで、管理装置３０の部署情報記憶部１４５及びレポート対象機器決定部１５５について説明する。
【００８０】
部署情報記憶部１４５は、部署の階層構造を示す部署情報を記憶する。図１２は、本実施形態の部署情報の一例を示す図である。図１２に示す例では、部署情報は、部署識別情報と、親部署識別情報とを、対応付けた情報となっているが、これに限定されるものではない。部署識別情報は、部署を識別する識別子であり、例えば、部署ＩＤが挙げられる。親部署識別情報は、部署識別情報が示す部署の親部署を示す。
【００８１】
ここで、図１３を参照しながら、本実施形態の部署について説明する。図１３は、本実施形態の部署の階層構造の一例を示す図である。本実施形態の部署は、階層構造を有しており、図１３に示すように、第１階層〜第４階層に階層化されている。なお、第１階層は、グループを単位とした部署を示し、第２階層は、センターを単位とした領域を示し、第３階層は、部を単位とした部署を示し、第４階層は、セクションを単位とした部署を示す。このため、機器情報の部署識別情報及び部署情報の部署識別情報は、第１階層〜第４階層の部署識別情報を含む。
【００８２】
なお、上位階層の部署は、下位階層の部署も含む。つまり、第３階層の部署は、自身に属する第４階層の部署を含み、第２階層の部署は、自身に属する第３階層以下の部署を含み、第１階層の部署は、自身に属する第２階層以下の部署を含む。
【００８３】
従って、部署識別情報が第４階層の部署を示せば、親部署識別情報は第３階層の部署を示し、部署識別情報が第３階層の部署を示せば、親部署識別情報は第２階層の部署を示し、部署識別情報が第２階層の部署を示せば、親部署識別情報は第１階層の部署を示し、部署識別情報が第１階層の部署を示せば、親部署識別情報はＲｏｏｔを示す。
【００８４】
レポート対象機器決定部１５５は、機器１０−１〜１０−ｎのうちレポート対象の１以上の機器１０を決定する。具体的には、レポート対象機器決定部１５５は、レポート生成装置５０から通知されたレポート領域識別情報又はレポート部署識別情報を用いて、機器情報記憶部１４３に記憶された機器情報からレポート対象の１以上の機器の機器識別情報を抽出し、レポート対象の１以上の機器１０を決定する。詳細には、レポート対象機器決定部１５５は、機器情報から、レポート領域識別情報又はレポート部署識別情報と一致する領域識別情報又は部署識別情報に対応付けられた１以上の機器識別情報を、レポート対象の１以上の機器１０の機器識別情報として抽出し、レポート対象の１以上の機器１０を決定する。
【００８５】
例えば、レポート生成装置５０から通知されたレポート領域識別情報が「Ａｒｅａ０１０１０１」であり、領域情報が図４に示す情報であり、領域の階層構造が図５に示すとおりであり、機器情報が図６に示す情報であるとする。この場合、レポート対象機器決定部１５５は、図４に示す領域情報又は図５に示す領域の階層構造から、レポート領域識別情報「Ａｒｅａ０１０１０１」が示すレポート領域は、領域識別情報「Ｂｌｏｃｋ０１０１０１０１」〜「Ｂｌｏｃｋ０１０１０１０４」及び「Ａｒｅａ０１０１０１」が示す領域であると特定する。そして、レポート対象機器決定部１５５は、図６に示す機器情報から、領域識別情報「Ｂｌｏｃｋ０１０１０１０１」〜「Ｂｌｏｃｋ０１０１０１０４」及び「Ａｒｅａ０１０１０１」それぞれに対応付けられた機器識別情報（例えば、「ＭＦＰ０００１」及び「ＰＣ００００１」など）を取得し、レポート対象の１以上の機器１０を決定し、レポート対象の１以上の機器１０の機器識別情報として、レポート生成装置５０に通知する。
【００８６】
また例えば、レポート生成装置５０から通知されたレポート部署識別情報が「Ｄｅｐｔ０００１」であり、部署情報が図１２に示す情報であり、部署の階層構造が図１３に示すとおりであり、機器情報が図６に示す情報であるとする。この場合、レポート対象機器決定部１５５は、図１２に示す部署情報又は図１３に示す部署の階層構造から、レポート部署識別情報「Ｄｅｐｔ０００１」が示すレポート部署は、部署識別情報「Ｓｅｃｔｉｏｎ００００１」〜「Ｓｅｃｔｉｏｎ００００４」及び「Ｄｅｐｔ０００１」が示す部署であると特定する。そして、レポート対象機器決定部１５５は、図６に示す機器情報から、部署識別情報「Ｓｅｃｔｉｏｎ００００１」〜「Ｓｅｃｔｉｏｎ００００４」及び「Ｄｅｐｔ０００１」それぞれに対応付けられた機器識別情報（例えば、「ＭＦＰ０００１」、「Ｐｒｏｊｅｃｔｏｒ００１」、及び「Ｓｅｒｖｅｒ００００１」」など）を取得し、レポート対象の１以上の機器１０を決定し、レポート対象の１以上の機器１０の機器識別情報として、レポート生成装置５０に通知する。
【００８７】
図１１に戻り、要求受信部３５１は、管理装置３０によりレポート対象の１以上の機器１０が決定されると、通知された当該１以上の機器１０それぞれの機器識別情報を機器制御装置４０へ通知し、通知した機器識別情報を含む電源状態変更情報の取得を依頼する。
【００８８】
ここで、機器制御装置４０の管理部２５５について再度説明する。
【００８９】
管理部２５５は、レポート対象の１以上の機器１０の機器識別情報に基づいて、電源状態変更情報記憶部２４１からレポート対象の１以上の機器１０の電源状態変更情報を取得する。具体的には、管理部２５５は、レポート生成装置５０から通知されたレポート対象の１以上の機器１０それぞれの機器識別情報と一致する機器識別情報を含む電源状態変更情報を電源状態変更情報記憶部２４１から取得し、レポート生成装置５０へ通知する。
【００９０】
図１１に戻り、生成部３５３は、レポート対象の１以上の機器１０の電源状態変更情報を用いて、レポート対象の１以上の機器１０の電源状態に関するレポートを生成する。レポートは、例えば、レポート領域識別情報が示す領域又はレポート部署識別情報が示す部署でのレポート対象の１以上の機器１０の消費電力量、利用率、及び状態遷移の少なくともいずれかなどが挙げられる。
【００９１】
生成部３５３は、機器制御装置４０より通知された電源状態変更情報から、レポート対象の１以上の機器１０それぞれの電源状態の遷移が分かるので、レポート対象の機器１０毎に、消費電力量、利用率、及び状態遷移などを求められるので、例えば、レポート領域識別情報が示す領域又はレポート部署識別情報が示す部署でのレポート対象の１以上の機器１０の消費電力量、利用率、及び状態遷移も求められる。なお、レポート生成要求にレポート対象期間情報が含まれている場合は、レポート対象期間情報が示すレポート対象期間で消費電力量、利用率、及び状態遷移を求めればよい。
【００９２】
出力部３５５は、生成部３５３により生成されたレポートを出力する。例えば、出力部３５５は、レポート生成要求を行った管理者が使用するＰＣにレポートを出力する。
【００９３】
図１４は、本実施形態の管理システム１で実行される電源オフ処理の一例を示すシーケンス図である。
【００９４】
まず、検知装置２０は、ユーザの検知を行い（ステップＳ１０１）、検知情報を管理装置３０に送信する（ステップＳ１０３）。ここでは、検知装置２０は、ユーザを検知せず、検知情報は、検知部識別情報「ＲＦＩＤ００００１」を含むとする。
【００９５】
続いて、領域特定部１５２は、検知情報受信部１５１により受信された検知情報に含まれる検知部識別情報を用いて、領域特定情報記憶部１４１に記憶された領域特定情報から、当該検知部識別情報が示す検知装置が配置されている領域の領域識別情報を特定する（ステップＳ１０５）。ここでは、領域特定情報が図３に示す情報であり、領域特定部１５２は、「ＲＦＩＤ００００１」に対応付けられている「Ｂｌｏｃｋ０１０１０１０１」を、検知装置２０が配置されている領域の領域識別情報に特定する。
【００９６】
続いて、更新部１５３は、領域特定部１５２により特定された領域識別情報と一致する領域情報の領域識別情報に対応付けられたユーザ数、及び領域特定部１５２により特定された領域識別情報と一致する機器情報の領域識別情報に対応付けられたユーザ数を更新する（ステップＳ１０７）。ここでは、領域情報が図４に示す情報、機器情報が図６に示す情報であり、更新部１５３は、図４に示す領域情報の領域識別情報「Ｂｌｏｃｋ０１０１０１０１」に対応付けられたユーザ数を１から０に更新するとともに、図６に示す機器情報の領域識別情報「Ｂｌｏｃｋ０１０１０１０１」に対応付けられたユーザ数を１から０に更新する。
【００９７】
続いて、制御内容決定部１５４は、機器１０−１〜１０−ｎのうち電源状態の制御対象の１以上の機器１０、及び電源状態の制御内容を決定し（ステップＳ１０９）、制御要求を機器制御装置４０へ送る（ステップＳ１１１）。ここでは、電源状態制御情報が図８に示す情報であり、制御内容決定部１５４は、制御内容識別情報「Ｔ０１０２０３」の制御内容を電源状態の制御内容に決定するとともに、機器識別情報「ＰＣ００００１」が示す機器１０を制御対象の１以上の機器に決定し、制御内容識別情報「Ｔ０１０２０３」の制御内容及び機器識別情報「ＰＣ００００１」を、制御要求として、機器制御装置４０に送る。
【００９８】
続いて、電源状態制御部２５１は、管理装置３０により決定された制御内容で管理装置３０により決定された制御対象の１以上の機器１０の電源状態を制御する（ステップＳ１１３）。ここでは、電源状態制御部２５１は、機器識別情報「ＰＣ００００１」が示す機器１０を電源オフ状態へ制御する。
【００９９】
続いて、機器識別情報「ＰＣ００００１」が示す機器１０の制御部１５は、電源オフ状態へ移行する前に、電源状態変更情報を機器制御装置４０に送信する（ステップＳ１１５）。
【０１００】
続いて、電源状態変更情報受信部２５３は、電源状態変更情報を受信し、管理部２５５は、電源状態変更情報記憶部２４１に記憶する（ステップＳ１１７）。
【０１０１】
図１５は、本実施形態の管理システム１で実行される電源オン処理の一例を示すシーケンス図である。なお、図１５に示す処理は、図１４に示す処理の後に実行されることを想定して説明する。
【０１０２】
まず、検知装置２０は、ユーザの検知を行い（ステップＳ２０１）、検知情報を管理装置３０に送信する（ステップＳ２０３）。ここでは、検知装置２０は、ユーザを検知し、検知情報は、検知部識別情報「ＲＦＩＤ００００１」及びユーザ識別情報「Ｕ０００００１」を含むとする。
【０１０３】
続いて、領域特定部１５２は、検知情報受信部１５１により受信された検知情報に含まれる検知部識別情報を用いて、領域特定情報記憶部１４１に記憶された領域特定情報から、当該検知部識別情報が示す検知装置が配置されている領域の領域識別情報を特定する（ステップＳ２０５）。ここでは、領域特定情報が図３に示す情報であり、領域特定部１５２は、「ＲＦＩＤ００００１」に対応付けられている「Ｂｌｏｃｋ０１０１０１０１」を、検知装置２０が配置されている領域の領域識別情報に特定する。
【０１０４】
続いて、更新部１５３は、領域特定部１５２により特定された領域識別情報と一致する領域情報の領域識別情報に対応付けられたユーザ数、及び領域特定部１５２により特定された領域識別情報と一致する機器情報の領域識別情報に対応付けられたユーザ数を更新する（ステップＳ２０７）。ここでは、領域情報が図４に示す情報、機器情報が図６に示す情報であり、更新部１５３は、図４に示す領域情報の領域識別情報「Ｂｌｏｃｋ０１０１０１０１」に対応付けられたユーザ数を０から１に更新するとともに、図６に示す機器情報の領域識別情報「Ｂｌｏｃｋ０１０１０１０１」に対応付けられたユーザ数を０から１に更新する。
【０１０５】
続いて、制御内容決定部１５４は、機器１０−１〜１０−ｎのうち電源状態の制御対象の１以上の機器１０、及び電源状態の制御内容を決定し（ステップＳ２０９）、制御要求を機器制御装置４０へ送る（ステップＳ２１１）。ここでは、制御内容決定部１５４は、電源をオンする制御内容（図８では、図示省略）を電源状態の制御内容に決定するとともに、機器識別情報「ＰＣ００００１」が示す機器１０を制御対象の１以上の機器に決定し、電源をオンする制御内容及び機器識別情報「ＰＣ００００１」を、制御要求として、機器制御装置４０に送る。
【０１０６】
続いて、電源状態制御部２５１は、管理装置３０により決定された制御内容で管理装置３０により決定された制御対象の１以上の機器１０の電源状態を制御する（ステップＳ２１３）。ここでは、電源状態制御部２５１は、機器識別情報「ＰＣ００００１」が示す機器１０を電源オン状態へ制御する。
【０１０７】
続いて、機器識別情報「ＰＣ００００１」が示す機器１０の制御部１５は、電源オン状態へ移行されると、電源状態変更情報を機器制御装置４０に送信する（ステップＳ２１５）。
【０１０８】
続いて、電源状態変更情報受信部２５３は、電源状態変更情報を受信し、管理部２５５は、電源状態変更情報記憶部２４１に記憶する（ステップＳ２１７）。
【０１０９】
図１６は、本実施形態の管理システム１で実行されるユーザ操作による電源オン処理の一例を示すシーケンス図である。
【０１１０】
まず、ユーザが、機器１０の操作部１２に対して起動操作を行うと、制御部１５は、機器１０を電源オン状態へ移行する（ステップＳ３０１）。
【０１１１】
続いて、機器１０の制御部１５は、電源状態変更情報を機器制御装置４０に送る（ステップＳ３０３）。
【０１１２】
続いて、電源状態変更情報受信部２５３は、電源状態変更情報を受信し、管理部２５５は、電源状態変更情報記憶部２４１に記憶する（ステップＳ３０５）。
【０１１３】
図１７は、本実施形態の管理システム１で実行されるレポート生成処理の一例を示すシーケンス図である。
【０１１４】
まず、管理者が使用するＰＣは、レポート領域識別情報又はレポート部署識別情報を含むレポート生成要求をレポート生成装置５０に送信する（ステップＳ５０１）。
【０１１５】
続いて、要求受信部３５１は、レポート生成要求に含まれるレポート領域識別情報又はレポート部署識別情報を管理装置３０へ通知し、レポート対象の１以上の機器１０の決定を依頼する（ステップＳ５０３）。
【０１１６】
続いて、レポート対象機器決定部１５５は、レポート生成装置５０から通知されたレポート領域識別情報又はレポート部署識別情報を用いて、機器情報記憶部１４３に記憶された機器情報からレポート対象の１以上の機器の機器識別情報を抽出し、レポート対象の１以上の機器１０を決定し、レポート対象の１以上の機器１０の機器識別情報を、レポート生成装置５０に通知する（ステップＳ５０５）。
【０１１７】
続いて、要求受信部３５１は、通知されたレポート対象の１以上の機器１０の機器識別情報を機器制御装置４０へ通知し、通知した機器識別情報を含む電源状態変更情報の取得を依頼する（ステップＳ５０７）。
【０１１８】
続いて、管理部２５５は、レポート生成装置５０から通知されたレポート対象の１以上の機器１０それぞれの機器識別情報と一致する機器識別情報を含む電源状態変更情報を電源状態変更情報記憶部２４１から取得し、レポート生成装置５０へ通知する（ステップＳ５０９）。
【０１１９】
続いて、生成部３５３は、通知されたレポート対象の１以上の機器１０の電源状態変更情報を用いて、レポート対象の１以上の機器１０の電源状態に関するレポートを生成する（ステップＳ５１１）。
【０１２０】
続いて、出力部３５５は、生成部３５３により生成されたレポートを、レポート生成要求を行った管理者が使用するＰＣに出力する（ステップＳ５１３）。
【０１２１】
以上のように、本実施形態によれば、機器の電源状態の変更内容を示す電源状態変更情報を管理するので、機器の電源状態がどのように変更されたか管理することができる。特に本実施形態によれば、機器制御装置が機器の電源状態を制御した場合だけでなく、機器自身が電源状態を制御した場合の電源状態の変更内容を示す電源状態変更情報も管理できるので、機器の電源状態がどのように変更されたか正確に管理することができる。このため本実施形態によれば、機器の電源状態に関するレポートを生成することもできる。
【０１２２】
また本実施形態によれば、領域を階層構造にしているため、細かな領域単位で機器の電源状態を制御でき、電源状態の制御に伴う省電力効果も期待できる。また本実施形態によれば、領域だけでなく部署も階層構造にしているため、細かな単位でレポートを生成することもできる。
【０１２３】
（変形例）
上記実施形態において、管理装置３０、機器制御装置４０、及びレポート生成装置５０が有する機能の一部又は全てを１つの装置に集約してもよい。
【０１２４】
また上記実施形態において、レポート生成要求に、レポート対象の機器の種別を含めるようにしてもよい。このようにすれば、レポート領域識別情報が示す領域又はレポート部署識別情報が示す部署における特定の機器のレポートを生成することができる。
【０１２５】
また上記実施形態において、レポート生成要求に、異なるレポート領域識別情報又は異なるレポート部署識別情報を含め、それぞれのレポート領域識別情報が示す領域の機器の電源状態を比較したレポートやそれぞれのレポート部署識別情報が示す部署の機器の電源状態を比較したレポートを生成するようにしてもよい。
【０１２６】
また上記実施形態において、セキュリティ用の制御を行ってもよい。例えば、セキュリティ領域に権限のないユーザが侵入した場合には、当該セキュリティ領域に配置された警報機などの機器１０に警告を行わせるようにしてもよい。
【０１２７】
図１８は、変形例の管理システム１で実行される警告処理の一例を示すシーケンス図である。
【０１２８】
まず、検知装置２０は、ユーザの検知を行い（ステップＳ６０１）、検知情報を管理装置３０に送信する（ステップＳ６０３）。ここでは、検知装置２０は、ユーザを検知し、検知情報は、検知部識別情報「ＲＦＩＤ００００３」及びユーザ識別情報「Ｕ０００００１」を含むとする。
【０１２９】
続いて、領域特定部１５２は、検知情報受信部１５１により受信された検知情報に含まれる検知部識別情報を用いて、領域特定情報記憶部１４１に記憶された領域特定情報から、当該検知部識別情報が示す検知装置が配置されている領域の領域識別情報を特定する（ステップＳ６０５）。ここでは、領域特定情報が図３に示す情報であり、領域特定部１５２は、「ＲＦＩＤ００００３」に対応付けられている「Ｓｅｃｕｒｉｔｙ０２０１０１」を、検知装置２０が配置されている領域の領域識別情報に特定する。
【０１３０】
続いて、制御内容決定部１５４は、領域特定部１５２により特定された領域識別情報と一致する領域情報の領域識別情報に対応付けられたユーザリストにユーザ識別情報「Ｕ０００００１」のユーザが含まれていなければ、制御内容識別情報「Ｔ０００００１」の制御内容に決定するとともに、領域識別情報「Ｓｅｃｕｒｉｔｙ０２０１０１」に配置された警告機である機器１０を制御対象の機器に決定し（ステップＳ６０７）、制御内容識別情報「Ｔ０００００１」の制御内容及び警告機である機器１０を、制御要求として、機器制御装置４０に送る（ステップＳ６０９）。
【０１３１】
なお、領域情報が図４に示す情報、機器情報が図６に示す情報、電源状態制御情報が図８に示す情報であるとする。
【０１３２】
続いて、電源状態制御部２５１は、管理装置３０により決定された制御内容で管理装置３０により決定された制御対象の機器１０を制御する（ステップＳ６１１、Ｓ６１３）。ここでは、電源状態制御部２５１は、警告機である機器１０に警告動作を行わせる。
【０１３３】
続いて、管理装置３０の制御部１５０は、警告を行った旨の電子メールを管理者に行い（ステップＳ６１５）、警告を行った内容をアクセス履歴として記憶部１５０に記憶する（ステップＳ６１７）。
【０１３４】
（ハードウェア構成）
図１９は、上記実施形態の管理装置３０、機器制御装置４０、及びレポート生成装置５０（以下、上記実施形態の各装置と称する）のハードウェア構成の一例を示す図である。上記実施形態の各装置は、ＣＰＵなどの制御装置８０１と、ＲＯＭやＲＡＭなどの記憶装置８０２と、ＨＤＤなどの外部記憶装置８０３と、ディスプレイなどの表示装置８０４と、キーボードやマウスなどの入力装置８０５と、通信Ｉ／Ｆ（インタフェース）８０６と、を備えており、通常のコンピュータを利用したハードウェア構成となっている。
【０１３５】
上記実施形態の各装置で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１３６】
また、上記実施形態の各装置で実行されるプログラムを、インターネット等のネットワークに接続されたコンピュータ上に格納し、ネットワーク経由でダウンロードさせることにより提供するようにしてもよい。また、上記実施形態の各装置で実行されるプログラムを、インターネット等のネットワーク経由で提供または配布するようにしてもよい。また、上記実施形態の各装置で実行されるプログラムを、ＲＯＭ等に予め組み込んで提供するようにしてもよい。
【０１３７】
上記実施形態の各装置で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【０１３８】
１  管理システム
２  ネットワーク
１０−１〜１０−ｎ（１０）  機器
１１  通信部
１２  操作部
１３  表示部
１４  記憶部
１５  制御部
２０−１〜２０−ｍ（２０）  検知装置
３０  管理装置
４０  機器制御装置
５０  レポート生成装置
１１０  通信部
１２０  操作部
１３０  表示部
１４０  記憶部
１４１  領域特定情報記憶部
１４２  領域情報記憶部
１４３  機器情報記憶部
１４４  電源状態制御情報記憶部
１４５  部署情報記憶部
１５０  制御部
１５１  検知情報受信部
１５２  領域特定部
１５３  更新部
１５４  制御内容決定部
１５５  レポート対象機器決定部
２１０  通信部
２２０  操作部
２３０  表示部
２４０  記憶部
２４１  電源状態変更情報記憶部
２５０  制御部
２５１  電源状態制御部
２５３  電源状態変更情報受信部
２５５  管理部
３１０  通信部
３２０  操作部
３３０  表示部
３４０  記憶部
３５０  制御部
３５１  要求受信部
３５３  生成部
３５５  出力部
８０１  制御装置
８０２  記憶装置
８０３  外部記憶装置
８０４  表示装置
８０５  入力装置
８０６  通信Ｉ／Ｆ
【先行技術文献】
【特許文献】
【０１３９】
【特許文献１】特開２０１２−１０３７５７号公報
【図１】
2015172853.tif 000003
【図２】
2015172853.tif 000004
【図３】
2015172853.tif 000005
【図４】
2015172853.tif 000006
【図５】
2015172853.tif 000007
【図６】
2015172853.tif 000008
【図７】
2015172853.tif 000009
【図８】
2015172853.tif 000010
【図９】
2015172853.tif 000011
【図１０】
2015172853.tif 000012
【図１１】
2015172853.tif 000013
【図１２】
2015172853.tif 000014
【図１３】
2015172853.tif 000015
【図１４】
2015172853.tif 000016
【図１５】
2015172853.tif 000017
【図１６】
2015172853.tif 000018
【図１７】
2015172853.tif 000019
【図１８】
2015172853.tif 000020
【図１９】
2015172853.tif 000021